(57)【要約】【課題】複数種類の光記録媒体を正確かつ安定に記録および／または再生できる小型、軽量、かつ省電力な情報記録再生装置を提供する【解決手段】光ビームの光量を光ディスク３の種類に応じて切り替える光量補正用光学素子２１を備えた光ビーム透過調整手段２０において、光量補正用光学素子２１を駆動する駆動源が、光ピックアップ１の駆動源と共用されている。そのため、光量補正用光学素子２１の駆動源を光ピックアップ１内に設ける必要がなくなる。したがって、光ピックアップ１内に光量補正用光学素子２１の駆動源の給電用配線ラインを増設する必要がなく、光ピックアップ１を小型、軽量化することができる。また、配線ラインを増設する必要がないことから、配線ラインからの不要なノイズの発生を抑制し、本発明の情報記録再生装置は良好な記録再生を行うことができる。【選択図】  図１
2007328861.tif 000002
【特許請求の範囲】
【請求項１】
光ビームを移動させながら、光記録媒体に対して、情報の記録および／または再生を行う光ピックアップに備えられ、上記光ビームの光量を光記録媒体の種類に応じて切り替える光量補正素子を備えた光量補正装置において、
上記光ビームの光量を切り替えるために、上記光量補正素子を駆動する駆動源が、上記光ピックアップの駆動源と共用されていること
を特徴とする光量補正装置。
【請求項２】
記録および／または再生時において、上記光量補正素子と、上記光量補正素子を保持するホルダとが、上記光ピックアップと、同一方向へ一体をなして移動するように構成されていること
を特徴とする請求項１に記載の光量補正装置。
【請求項３】
上記光記録媒体の記録領域外において、上記光ピックアップの移動を上記光量補正装置の上記光ビームの光量を切り替える動作と連動させる動作変換機構を備えること
を特徴とする請求項２に記載の光量補正装置。
【請求項４】
上記動作変換機構は、
上記ホルダの端部と、上記光ピックアップを搭載した情報記録再生装置側に固定配置されたホルダ係合部とが、上記光ビームの光量切り替え時に接触することによって、上記ホルダと上記光ピックアップとの移動方向を相対的に反対方向へと変換するガイド機構を備えていること
を特徴とする請求項３に記載の光量補正装置。
【請求項５】
上記動作変換機構は、
上記ホルダに係合したレバーであって、上記光ピックアップ内に設けられた支軸回りに回転可能なレバーと、
上記レバーにおけるホルダと反対側の端部と、上記光ピックアップを搭載した情報記録再生装置側に固定配置されたホルダ係合部とが、上記光ビームの光量切り替え時に接触することによって、上記ホルダと上記光ピックアップとを同一方向に対して、各々独立して移動させるガイド機構とを備えていること
を特徴とする請求項３に記載の光量補正装置。
【請求項６】
上記レバーの上記支軸を含む直線部分において、ホルダ側の端部から上記支軸までの第１の直線距離に対して、上記直線部分の長さから上記第１の直線距離を除いた第２の直線距離の比率が、１より小さいことを特徴とする請求項５に記載の光量補正装置。
【請求項７】
上記ホルダは磁性材を備え、上記ホルダの移動による光量切り替え後に、上記磁性材は、上記光ピックアップ内に設けられた磁石に吸着することを特徴とする請求項３から５のいずれか１項に記載の光量補正装置。
【請求項８】
光ビームを移動させながら、光記録媒体に対して、情報の記録および／または再生を行う光ピックアップであって、請求項１から７のいずれか１項に記載の光量補正装置を備えたことを特徴とする光ピックアップ。
【請求項９】
請求項８に記載の光ピックアップと、光ピックアップを光記録媒体に対して移動させるように該光ピックアップを駆動する駆動源とを備え、
上記光量補正素子を駆動する駆動源が、上記光ピックアップの駆動源と共用されていることを特徴とする情報記録再生装置。
【発明の詳細な説明】
【技術分野】
【０００１】
本発明は、光記録媒体に対して光を利用して情報を記録および／または再生する光ピックアップの小型化、軽量化、省電力化に主眼をおいた技術に関するものである。
【背景技術】
【０００２】
光ディスクに代表される光記録媒体としては、ピット等があらかじめ形成されており、再生専用として用いられるもの、溝構造に沿った相変化を利用して、記録および再生が可能なものなどが提案されている。
【０００３】
このうち、情報の記録および再生が可能な光記録媒体を用いる情報記録再生装置では、光ピックアップの光源として、通常、再生専用の装置の半導体レーザよりも最大出射光量(光出力最大定格)が大きい半導体レーザが用いられる。
【０００４】
これは、以下のような理由による。
半導体レーザは、一般的に、出力が小さい場合には、安定な発振が得られにくく、レーザノイズが大きくなる。したがって、情報再生時のＣＮＲ(Ｃａｒｒｉｅｒ  ｔｏ  Ｎｏｉｓｅ  Ｒａｔｉｏ)を確保するためには、レーザの光出力を通常、２ｍＷ〜５ｍＷ程度の値に設定しなければならない。
（２）記録可能な光記録媒体においては、記録面上に光束を集光させることによる記録層の加熱によって、記録が行われる。そのため、「再生光パワーにおいて、記録信号が劣化しない」という条件と「記録光パワーにおいて、安定な記録が行われる」という条件の双方を満たす必要がある。すなわち、再生光パワーと記録光パワーとの間に大きな出力の差を持たせなければならない。この出力差を出力比で表すと、通常、記録光の最大パワーが、再生光パワーの５倍〜２０倍程度である。また、光記録媒体の記録層が多層である場合、再生時の光パワーおよび記録時の光パワーともに、より大きな出力が必要となる。
【０００５】
これら２つの理由によって、記録および再生に対応する光ヘッドに用いられる光源や、複数種類の光記録媒体へ記録および／または再生を行う光ピックアップに用いられる光源の光出力最大定格は、通常、２０ｍＷ〜５０ｍＷ程度である。さらに、標準速の２倍程度の高速で情報を記録する光記録媒体においては、１００ｍＷ程度もの出力が必要となる。また、２層の記録層を備える光記録媒体においては、１３０ｍＷ程度と、さらに大きな出力を必要とする。
【０００６】
しかし、光出力最大定格が大きい光源は、その実現が非常に困難であるばかりでなく、光源の消費電力が大きくなるなどの問題がある。これを考慮して、逆に光出力最大定格を小さくすると、再生時のレーザノイズが大きくなってしまい、良好な再生特性が得られなくなる。
【０００７】
また、光源の光出力最大定格を適切に定めなければならない問題に加えて、光記録媒体の種類に応じた最適な記録および／または再生の光パワーを定めなければならない問題もある。
【０００８】
したがって、複数種類（少なくとも２種類）の光記録媒体に対して、種類の制約を受けることなく、自由に情報を記録および／または再生できる情報記録再生装置は、同じ光源から出射された光ビームの光量を変化させる構成を備えている。すなわち、そのような情報記録再生装置は、光結合効率可変素子、あるいは光学フィルタのような光量を補正する光量補正素子を用いて、光記録媒体の種類に応じて、光記録媒体に集光される光量を変化させている。
【０００９】
特許文献１には、光ビームの光量を変化させるための手段を備えた情報記録再生装置が開示されている。光ビームの光量を変化させるための手段について、図７および図８にしたがって、以下に説明する。
【００１０】
図７および図８は、光ビーム１１０の光量を変化させるための手段として機能する従来の光ビーム透過調整手段１００の構成を示す。なお、図７は、光ビーム透過調整手段１００の再生時の状態を示し、図８は、光ビーム透過調整手段１００の記録時の状態を示す。
【００１１】
光ビーム透過調整手段１００は直方体透過素子１０１と、ホルダ１０２ａおよび１０２ｂと、シャフト１０３ａおよび１０３ｂと、ベース１０４と、永久磁石１０５と、コイル１０６と、ストッパ１０７ａおよび１０７ｂとによって構成されている。
【００１２】
直方体透過素子１０１は光ビーム１１０の透過量を調整するための光量補正素子であり、４側面のうち１つの平面にのみ、光ビームの光量を減衰させる光学フィルタ１０１ａを塗布してある。ホルダ１０２ａおよび１０２ｂは直方体透過素子１０１を保持するものである。シャフト１０３ａおよび１０３ｂはベース１０４に支持されており、直方体透過素子１０１、ホルダ１０２ａおよび１０２ｂを回転させるためのものである。永久磁石１０５はホルダ１０２ａの側面に取り付けられており、シャフト１０３ａと平行な方向に磁化されている。コイル１０６は永久磁石１０５に対向する位置に配置されており、ベース１０４に固定されている。
【００１３】
さらに、ストッパ１０７ａおよび１０７ｂはホルダ１０２ｂの側面の２ヶ所に設けられている。光学フィルタ１０１ａが塗布された平面が光ビームと垂直な位置にある時は、ストッパ１０７ａがベース１０４と接触している。また、光学フィルタ１０１ａが塗布された平面が光ビームと平行な位置にある時は、ストッパ１０７ｂがベース１０４と接触している。
【００１４】
図７は、光源の光路に配置された直方体透過素子１０１に備えられたストッパ１０７ａがベース１０４と接触した状態である。この時、半導体レーザから出射した光ビーム１１０の光量は、光学フィルタ１０１ａによって、光記録媒体に照射される光ビームの再生時の光量となるように減衰された後、光学フィルタ１０１ａと対向する面より出射される。
【００１５】
図８は、コイル１０６への通電により、永久磁石１０５との間に発生する電磁力によって、直方体透過素子１０１が、シャフト１０３ａおよび１０３ｂを中心軸として回転し、ストッパ１０７ａおよび光学フィルタ１０１ａが９０度上方へ回転すると同時にストッパ１０７ｂがベース１０４に接触する位置まで回転した状態である。したがって、半導体レーザから出射された光ビーム１１０は光学フィルタ１０１ａを通過することなく、直方体透過素子１０１を通過する。これによって、光ビームがほぼ減衰することなく、記録時の光量として光記録媒体に照射される。
【００１６】
すなわち、従来の情報記録再生装置における、光ビーム透過調整手段１００によれば、直方体透過素子１０１の回転方向をシャフト１０３ａおよび１０３ｂ周りの回転駆動によって切り替えることにより、光学フィルタ１０１ａの位置が切り替わる。それによって、光ビーム１１０が減衰されている場合と、ほぼ減衰されていない場合とに切り替えることができる。
【００１７】
したがって、直方体透過素子１０１の回転容積のみの移動空間において、記録時と再生時とにおいて、光記録媒体に集光される光量を切り替えることができる。
【特許文献１】特開２００５−１７４４５５号公報（２００５年６月３０日公開）
【発明の開示】
【発明が解決しようとする課題】
【００１８】
しかしながら、光量補正素子を用いて光量を切り替えるためには、光ピックアップ内に駆動機構およびその駆動源として、アクチュエータやモータなどを備える必要がある。また、光量補正素子の駆動源の電源を供給しなければならないため、電源供給用ＦＰＣ（フレキシブルプリント配線盤）のラインを増設する必要がある。ＦＰＣのラインが増えることによって、ＦＰＣは必要以上に弾力性を持つため、ＦＰＣを小さくまとめにくくなる。そのため、光ピックアップの小型化および軽量化が困難である。
【００１９】
さらに、光量補正素子の駆動源は、光ピックアップの駆動源とは電気的に独立しているため、光量補正素子を駆動させる分、その消費電力が大きくなる。
【００２０】
また、ＦＰＣの配線ラインが新たに増えることによって、駆動用の信号ラインから情報記録再生用の信号ラインに、ノイズの影響を及ぼすことがある。これにより、良好な記録再生が妨げられる。
【００２１】
なお、光量補正素子は移動終了後に安定して保持する必要がある。しかし、切り替え時にはこの保持力を上回るトルクを発生させなければならない。このような条件を満たす機構を構成することもまた困難である。
【００２２】
本発明は、上記の課題を解決するために、光量補正素子の駆動源であるモータやアクチュエータを光ピックアップ内から取り除き、ＦＰＣを小さくまとめることによって、光量補正素子を駆動可能な光ピックアップの小型化、軽量化および省電力化を実現することを目的としている。また、本発明の構成により、複数種類の光ディスクの記録再生を実現する小型、軽量な情報記録再生装置を提供することができる。
【課題を解決するための手段】
【００２３】
本発明に係る光量補正装置は、光ビームを移動させながら、光記録媒体に対して、情報の記録および／または再生を行う光ピックアップに備えられ、上記光ビームの光量を光記録媒体の種類に応じて切り替える光量補正素子を備えた光量補正装置において、上記光ビームの光量を切り替えるために上記光量補正素子を駆動する駆動源が、上記光ピックアップの駆動源と共用されていることを特徴としている。
【００２４】
上記構成によると、光量補正素子を駆動する駆動源が、上記光ピックアップの駆動源と共用されている。なお、光ピックアップの駆動源は、光記録媒体に対して光ピックアップを移動させ、それによって光記録媒体に対して光ビームを移動させる駆動力を発生する。そのため、光量補正素子を駆動するためのモータのような駆動源を、光ピックアップ内に設ける必要がなくなる。なぜなら、光ピックアップの駆動源は、光ピックアップの外部に備えられているからである。
【００２５】
また、光量補正素子の駆動源を光ピックアップ内に備えていないことから、光ピックアップ内に電源供給用のＦＰＣの配線ラインを増設する必要がなく、ＦＰＣの幅を小さく形成することができる。そのため、ＦＰＣの弾力性が必要以上に大きくなることがなく、ＦＰＣを小さくまとめることが可能である。これによって、光ピックアップの形状の自由度を向上させることができる。
【００２６】
これらの結果として、光ピックアップの小型、軽量化が可能となる効果を奏する。
【００２７】
さらに、光量補正素子を駆動するための給電用ＦＰＣの配線ラインを光ピックアップ内に備える必要がないため、電源供給ラインからの不要なノイズの発生による情報記録再生信号への影響を回避することができる。
【００２８】
したがって、本発明に係る光量補正装置は、良好な記録再生を行うことができる情報記録再生装置を提供できるという効果を奏する。
【００２９】
本発明に係る光量補正装置は、さらに、記録および／または再生時において、上記光量補正素子と、上記光量補正素子を保持するホルダとが、上記光ピックアップと、同一方向へ一体をなして移動するように構成されていることを特徴としている。
【００３０】
上記の構成によれば、記録および／または再生時において、光量補正素子およびホルダは、光ピックアップと同一方向へ一体をなして移動するから、記録および／または再生時において、光量補正素子を光ピックアップから独立して駆動する必要がない。すなわち、光量補正素子およびホルダを、光ピックアップの移動に追従させるように、光量補正素子を別途駆動しなくても、光量補正素子と光ピックアップとの位置関係を保持することができ、光記録媒体の種類に応じた光量の状態を保持することができる。
【００３１】
このように、記録および／または再生時に光量補正素子を駆動するための電源が不要である。したがって、このような光量補正装置を備える光ピックアップを搭載した情報記録再生装置において、省電力化が可能であるという効果を奏する。
【００３２】
本発明に係る光量補正装置は、さらに、上記光記録媒体の記録領域外において、上記光ピックアップの移動を上記光量補正装置の上記光ビームの光量を切り替える動作と連動させる動作変換機構を備えることを特徴としている。
【００３３】
光ビームの光量補正のための光量補正素子の切り替え時において、光量補正素子の切り替え動作を、光記録媒体の情報記録領域外における光ピックアップの移動に連動させている。これによって、情報記録再生装置から光量補正素子の切り替え指示がない限り、情報記録領域内の移動である通常の情報記録再生時には、光量補正素子が容易に切り替わることはない。
【００３４】
したがって、本発明に係る情報記録再生装置において、正確な情報の記録再生を行うことが可能である効果を奏する。
【００３５】
また、光量補正素子の光量切り替え動作は光ピックアップの移動を利用するため、動作変換機構の簡素化を図ることができる。また、光量切り替え時に、光量補正素子に電源を供給して光量補正素子を直接駆動する必要が無い。したがって、光量補正素子を駆動するための配線などの電源供給手段を、光ピックアップに設けることが不要になるので、電源供給用のＦＰＣをさらにコンパクトにまとめることができる。
【００３６】
これにより、光ピックアップのさらなる小型、軽量化が可能になるとの効果を奏する。
【００３７】
本発明に係る光量補正装置において、さらに、上記動作変換機構は、上記ホルダの端部と、上記光ピックアップを搭載した情報記録再生装置側に固定配置されたホルダ係合部とが、上記光ビームの光量切り替え時に接触することによって、上記ホルダと上記光ピックアップとの移動方向を相対的に反対方向へと変換するガイド機構を備えていることを特徴としている。
【００３８】
上記の構成によれば、光ビームの光量補正のための光量補正素子の切り替え時に、上記光記録媒体の記録領域外において、ホルダが光ピックアップと一体をなして移動する動作をホルダ係合部によって停止させている。これによって、ガイド機構が、光ピックアップの移動方向に対して相対的に反対方向へ、ホルダを移動させている。その結果、光ピックアップの移動動作を光量補正素子の光量切り替え動作として変換することができる。
【００３９】
これによって、光量補正素子による光量切り替えと、ホルダの移動とを制御するガイド機構を含む動作変換機構を、光ピックアップの移動動作を利用する単純な機構として構成することができる。したがって、光ピックアップのさらなる小型、軽量化を実現することができる効果を奏する。
【００４０】
本発明に係る光量補正装置は、さらに、上記動作変換機構は、上記ホルダに係合したレバーであって、上記光ピックアップ内に設けられた支軸回りに回転可能なレバーと、上記レバーにおけるホルダと反対側の端部と、上記光ピックアップを搭載した情報記録再生装置側に固定配置されたホルダ係合部とが、上記光ビームの光量切り替え時に接触することによって、上記ホルダと上記光ピックアップとを同一方向に対して、各々独立して移動させるガイド機構とを備えていることを特徴としている。
【００４１】
上記の構成によれば、光ビームの光量補正のための光量補正素子の切り替え時に、上記光記録媒体の記録領域外において、上記光ピックアップの移動を、レバーおよびガイド機構が、ホルダと光ピックアップとを同一方向に対して、各々独立して移動させる。
【００４２】
このホルダの移動は、レバーがホルダに係合し、かつ、上記光ピックアップ内に設けられた支軸回りに回転可能に構成され、さらに、レバーにおけるホルダと反対側の端部が、ホルダ係合部と接触するように構成されていることによって実現される。
【００４３】
上記レバーを介して、上記ホルダと上記光ピックアップとを同一方向に各々独立して移動させることによって、光ピックアップの移動量をレバーの回転動作によってホルダの移動量に変換することができる効果を奏する。
【００４４】
本発明に係る光量補正装置は、さらに、上記レバーの上記支軸を含む直線部分において、ホルダ側の端部から上記支軸までの第１の直線距離に対して、上記直線部分の長さから上記第１の直線距離を除いた第２の直線距離の比率が、１より小さいことを特徴としている。
【００４５】
上記の構成によれば、第１の直線距離に対して、第２の直線距離の比率が１より小さいということは、レバーの支軸を含む直線部分において、レバーのホルダ側端部から支軸までの第１の直線距離を、残りの第２の直線距離よりも長くするということである。これによって、光ピックアップの移動量をレバーの回転動作を介してホルダの移動量に変換するときに、光ピックアップの移動量＜ホルダの移動量となるように構成することができる。
【００４６】
これによって、上記レバーを備えない場合よりも、光ピックアップが光記録媒体の記録領域外を移動する距離を短くすることができる。
【００４７】
したがって、情報記録再生装置を一層小型化することができる効果を奏する。
【００４８】
なお、光ディスクの内周方向において、スピンドルモータと光ピックアップとの間の間隔は、レバーを備えていない場合よりも広くすることができるため、より高速回転に対応することができる直径の大きな、すなわちトルクの大きなスピンドルモータを搭載することができる効果を併せて奏する。
【００４９】
本発明に係る光量補正装置は、さらに、上記ホルダは磁性材を備え、上記ホルダの移動による光量切り替え後に、上記磁性材は、上記光ピックアップ内に設けられた磁石に吸着することを特徴としている。
【００５０】
上記構成によると、光量補正素子の切り替えが完了した後、磁性材料および磁石の磁気的吸引力によって、ホルダを安定して保持することができる。
【００５１】
したがって、外部からの振動あるいは、光ピックアップの移動時に発生する加速度に対して、ホルダの位置が変位することなく、安定した保持が可能である効果を奏する。
【００５２】
なお、光ビームを移動させながら、光記録媒体に対して、情報の記録および／または再生を行う光ピックアップであって、本発明の上記光量補正装置を備えた光ピックアップもまた、本発明に含まれる。
【００５３】
さらに、上記光ピックアップと、上記光ピックアップを光記録媒体に対して移動させるように該光ピックアップを駆動する駆動源とを備え、上記光量補正素子を駆動する駆動源が、上記光ピックアップの駆動源と共用されている情報記録再生装置もまた、本発明に含まれる。
【００５４】
これにより、既に説明したとおり、光ピックアップおよび情報記録再生装置の小型、軽量化と、情報記録再生装置における良好な記録再生および省電力化を実現することができる。
【発明の効果】
【００５５】
本発明に係る情報記録再生装置は、光ビームの光量を切り替えるために光量補正素子を駆動する駆動源が、光ピックアップの駆動源と共用されていることを特徴としている。
【００５６】
それゆえ、光ピックアップ内から光量補正素子の駆動源および給電用の電源ラインを取り除くことができる。これによって、光ピックアップの小型化、軽量化を図ることができる効果を奏する。また、良好な再生を妨げる不要なノイズを防止することができる。したがって、良好な再生特性を得ることができるという効果を奏する。
【発明を実施するための最良の形態】
【００５７】
〔実施形態１〕
本発明に係る一実施形態について、図１（ａ）（ｂ）から図３（ａ）（ｂ）を参照して以下に説明する。
【００５８】
（情報記録再生装置の構造）
まず、情報記録再生装置の構造について、図１（ａ）を参照して、以下に説明する。
図１（ａ）は、光ピックアップ１によって光ディスク３（光記録媒体）に対し、情報の記録および／または再生を行う情報記録再生装置全体の構成を示す概略図である。なお、説明の便宜上、光ピックアップ１が、光ディスク３の半径方向に移動可能な範囲において、両端の位置に移動した２つの状態（光ディスク３の内周位置および外周位置）を示している。
【００５９】
なお、本実施の形態に係る情報記録再生装置が情報の記録および／または再生の対象とする光ディスクは、光を利用して情報を記録および／または再生できる媒体であれば限定されるものではなく、光磁気ディスク等も含まれる。このような光ディスクとしては、円板状の光ディスク、例えばＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、またはＢＤ（Ｂｌｕ−ｒａｙ  Ｄｉｓｃ）等が挙げられる。
【００６０】
この図に示すように、情報記録再生装置は光ピックアップ１、光ピックアップ１を光ディスク３の半径方向に移動させるガイド軸２およびその駆動源（図示しない）、スピンドルモータ４によって構成されている。また、後述する光ビーム透過調整手段２０（光量補正装置）が、光ピックアップ１にて生成される光ビームの光量を切り替える動作をすることができるように、光ディスク３の内周位置にホルダ係合部５ａが設けられているとともに、外周位置にホルダ係合部５ｂが設けられている。
【００６１】
なお、情報記録再生装置を機能させるために必要な構成部材であっても、本発明の特徴点とは直接関係ないものについては省略してある。
【００６２】
（光ピックアップ１の構造）
次に光ピックアップ１の構成について、図１（ｂ）を参照して、以下に説明する。図１（ｂ）は光ピックアップの構成を示す概略図である。光ピックアップ１は光ディスク３にレーザ光（光ビーム）を照射することにより、光ディスク３が有する記録面に対して情報の記録および／または再生を行うものである。
【００６３】
この図に示すように、光ピックアップ１は、半導体レーザ６（光源）、偏光ビームスプリッタ７（光軸分岐手段）、コリメートレンズ８、ミラー９、ＡＰＣ（オートパワーコントロール）用検出素子１０、検出光学系１１（検出手段）、光ビーム透過調整手段２０（光量補正装置）を備えている。また、図示しない１／４波長板（λ／４板；偏光回転手段）、対物レンズ（集光手段）を備えている。
【００６４】
半導体レーザ６は、Ｐ偏光（第１直線偏光）の光ビームを放射するものである。光ビーム透過調整手段２０、光ビームの光量を光記録媒体の種類に応じて切り替える役割を担っている。詳しくは後述する。
コリメートレンズ８は光源から放射された光ビームを平行光にするものである。
ミラー９は、コリメートレンズ８を透過した光ビームを紙面垂直手前方向に４５度折り曲げて反射するものである。これにより、光ディスク３の記録面に平行に放射されたレーザ光は、光ディスク３の記録面に向けて立ち上げられる。
図示しない１／４波長板は、ミラー９によって反射された光ビーム（Ｐ偏光）を円偏光（第３偏光）に変換するとともに、光ディスク３で反射された円偏光の光ビームをＳ偏光（第２直線偏光）に変換するものである。図示しない対物レンズは、半導体レーザ６から出射されたレーザ光を最終的に光ディスク３に集光するものである。
偏光ビームスプリッタ７は、光ディスク３から反射された光ビームを、半導体レーザ６と光ディスク３とを結ぶ光軸から分岐するものである。
ＡＰＣ用検出素子１０は、光ディスク３に向かう光ビームの光量をモニタするものである。
検出光学系１１は、光ディスク３において反射された光ビームを受光し、電気信号を生成するものである。具体的には、検出光学系１１は、自動焦点やトラック追従といった、制御に用いる光点制御信号の再生および光ディスク３に記録された情報信号の再生を行う。
【００６５】
（光ビーム透過調整手段２０の構造）
光ビーム透過調整手段２０について、図１（ｂ）を参照して以下に説明する。光ビーム透過調整手段２０は、光量補正用光学素子２１（光量補正素子、透過率可変手段）、ホルダ２２および磁性材２３を備えている。なお、光ビーム透過調整手段２０は、後述するように、光ピックアップ１に設けられた内周側磁石２４ａ、外周側磁石２４ｂおよびガイドピン２５と協働する構成になっている。
【００６６】
上記光量補正用光学素子２１は、透明基板としてのガラス基板部２１ａの一部に偏光性回折格子部（偏光性透過率可変素子）２１ｂを形成した構成を有している。偏光性回折格子部２１ｂは、光ディスク３の記録面上に到達する光ビームの実質的透過率を回折によって変化させるものである。具体的には、偏光性回折格子部２１ｂは±１次回折光を生じさせることによって、０次回折光として記録面上に到達する光量を減少させている。
【００６７】
また、偏光性回折格子部２１ｂは、Ｓ偏光（第２直線偏光、すなわち反射光路の直線偏光）の光ビームの透過率よりもＰ偏光（第１直線偏光、すなわち出射光路の直線偏光）の光ビーム透過率が低い光透過性の光学素子である。具体的には、偏光性回折格子部２１ｂは、Ｓ偏光の光ビームに対しては、非回折光：回折光＝１００：０の光量比において光ビームを透過し、Ｐ偏光の光ビームに対しては、非回折光：回折光＝５０：５の光量比において光ビームを透過する。
【００６８】
すなわち、Ｐ偏光の光ビームを１００％から５０％に変化させることが可能である。つまり、偏光性回折格子部２１ｂは最大光出力と最小光出力との比率を２：１とすることができる。
【００６９】
また、光量補正用光学素子２１は、光ピックアップ１と駆動源を共用しており、半導体レーザ６と光ディスク３とを結ぶ光軸を遮る方向（図１（ａ）に示すＢ、Ｄ方向）に移動可能である。偏光性回折格子部２１ｂが光軸上に配置された場合において、Ｐ偏光の光ビームを回折させることにより、その光量を低減させることができる。また、偏光性回折格子２１ｂを光軸からはずすことによって、光ビームに回折を生じさせずに全てを透過させ、光ビームの光量を低減しないようにすることができる。このように、偏光性回折格子２１ｂと光軸との位置関係によって、光量を２段階以上に切り替えることができる。
【００７０】
上記ホルダ２２は、光量補正用光学素子２１を接着剤等によって取り付け保持している。ホルダ２２は、光ディスク３半径方向に沿った光ピックアップ１の幅よりも大きく形成されており、ホルダ２２の一端は、光ピックアップ１の外形から突出している。また、光ピックアップ１のベース３０に直立して設けられたガイドピン２５に係合するガイド溝２２ａを２組備えている。このガイドピン２５およびガイド溝２２ａによるガイド機構によって、ホルダ２２は、光ピックアップ１に対して、光ディスク３の半径方向に往復移動することが可能である。
【００７１】
なお、ガイドピン２５に係合して、光ピックアップ１に対するホルダ２２の相対移動を案内するガイド溝２２ａが、特許請求の範囲に記載したガイド機構に相当し、このガイド機構を備えたホルダ２２が、特許請求の範囲に記載した動作変換機構に相当している。すなわち、動作変換機構としてのホルダ２２は、光ディスク３の記録領域外において、光ピックアップ１の移動を光量補正用光学素子２１の光量切り替え動作と連動させる機能を有している。
【００７２】
ホルダ２２の両端部近傍には、ホルダ２２から光軸に平行な方向に沿って同じ向きに突出した内周側凸部２２ｂ１および外周側凸部２２ｂ２が形成されている。内周側凸部２２ｂ１は、光ディスク３の内周側に位置し、内周側凸部２２ｂ１における内周側の側面には、磁性材２３ａが接着剤等によって取り付けられている。一方、外周側凸部２２ｂ２は、光ディスク３の外周側に位置し、外周側凸部２２ｂ２における外周側の側面には、磁性材２３ｂが接着剤等によって取り付けられている。
【００７３】
また、光ピックアップ１のベース３０の幅方向における両端部近傍において、内周側磁石２４ａが、磁性材２３ａと対向する位置に固定配置され、外周側磁石２４ｂが、磁性材２３ｂと対向する位置に固定配置されている。
【００７４】
なお、図２（ａ）に示すように、光ピックアップ１が光ディスク３の情報記録領域における最内周位置に位置する時は、ホルダ係合部５ａとホルダ２２の内周側端部２２ｃとが接触しないように備えられている。また、図３（ａ）に示すように、光ピックアップ１が光ディスク３の情報記録領域における最外周位置に位置する時は、外周位置のホルダ係合部５ｂがホルダ２２の外周側端部２２ｄと接触しないように備えられている。
【００７５】
（内周位置における切り替え動作）
光ディスク３の内周位置における光量補正用光学素子２１の切り替え動作について、図２（ａ）（ｂ）を参照して、以下に説明する。図２（ａ）（ｂ）は、光ピックアップ１が光ディスク３の内周位置に移動した状態を表している。図２（ａ）は、偏光性回折格子部２１ｂが光路中にない状態（透過後の光量が多い）を表し、図２（ｂ）は、偏光性回折格子部２１ｂが光路中にある状態（透過後の光量が少ない）を表している。
【００７６】
図２（ａ）に示す状態では、ホルダ２２が光ピックアップ１に対して、光ディスク３の内周側方向に移動している。このとき、内周側凸部２２ｂ１の磁性材２３ａが内周側磁石２４ａに吸着されており、外周側凸部２２ｂ２の磁性材２３ｂは、外周側磁石２４ｂから離れている。偏光性回折格子部２１ｂは、ガラス基板部２１ａの内周側に形成されているので、ホルダ２２が光ピックアップ１に対して、内周側方向に移動している状態では、偏光性回折格子部２１ａが光軸に対して内周側に位置することになるため、光路中にない状態となる。
【００７７】
また、図２（ａ）は、光ピックアップ１が光ディスク３の情報記録領域の最内周位置にある状態に対応している。光量の切り替え動作を行わない場合、つまり、情報の記録および／または再生を行う場合には、光ピックアップ１はこの位置までしか内周方向へは移動しない。
【００７８】
情報記録再生装置から光量を切り替える指示が出ると、光ピックアップ１は、図２（ａ）に示す位置から、さらに内周方向（Ｃ方向）へと移動する。
【００７９】
移動開始直後に、ホルダ２２の光ディスク３の内周側端部２２ｃと、光ディスク３の内周方向側に備えられたホルダ係合部５ａとが接触する。続いて、光ピックアップ１が、さらにＣ方向へ移動すると、光ピックアップ１と一体化したホルダ２２の移動は、ホルダ係合部５ａによって阻止される結果、内周側磁石２４ａと磁性材２３ａとの吸引力による連結が解除される。これによって、ホルダ２２は、接触しているホルダ係合部５ａに押されて、光ピックアップ１のベース３０に対して、相対的に外周方向（Ｄ方向）へと移動する。この外周方向へのホルダ２２の相対移動は、ガイドピン２５およびガイド溝２２ａによるガイド機構によって案内される。
【００８０】
この結果、偏光性回折格子部２１ｂが光軸の位置に移動するので、光量を切り替えることができる。すなわち、光量補正用光学素子２１と光軸との位置関係が、ガラス基板部２１ａと光軸とが交わる位置関係から偏光性回折格子部２１ｂと光軸とが交わる位置関係へと切り替えられる。なお、光ピックアップ１は、図２（ｂ）に示すように、移動可能範囲の最内周位置まで移動して停止する。
【００８１】
光ピックアップ１が、図２（ｂ）によって示した、切り替え動作が終了する最内周位置において停止すると、外周側磁石２４ｂと磁性材２３ｂとが吸引力によって連結する。これによって、ホルダ２２は、光ピックアップ１に対して安定して保持される。こうして、光量補正用光学素子２１の切り替え動作が完了する。
【００８２】
（外周位置における切り替え動作）
光ディスク３の外周位置における光量補正用光学素子２１の切り替え動作について、図３（ａ）（ｂ）を参照して、以下に説明する。図３（ａ）（ｂ）は、光ピックアップ１が光ディスク３の外周位置に移動した状態を表している。図３（ａ）は、偏光性回折格子部２１ｂが光路中にある状態（透過後の光量が少ない）を表し、図３（ｂ）は、偏光性回折格子部２１ｂが光路中にない状態（透過後の光量が多い）を表している。
【００８３】
図３（ａ）に示す状態では、ホルダ２２が光ピックアップ１に対して、光ディスク３の外周側方向に移動している。このとき、外周側凸部２２ｂ２の磁性材２３ｂが外周側磁石２４ｂに吸着されており、内周側凸部２２ｂ１の磁性材２３ａは、内周側磁石２４ａから離れている。ガラス基板部２１ａは、偏光性回折格子部２１ｂの外周側に形成されているので、ホルダ２２が光ピックアップ１に対して、外周側方向に移動している状態では、ガラス基板部２１ａが光軸に対して外周側に位置することになるため、ガラス基板部２１ａが光路中にない状態、言い換えると、偏光性回折格子部２１ｂが光路中にある状態となる。
【００８４】
また、図３（ａ）は、光ピックアップ１が光ディスク３の情報記録領域の最外周位置にある状態に対応している。光量の切り替え動作を行わない場合、つまり、情報の記録および／または再生を行う場合には、光ピックアップ１はこの位置までしか外周方向へは移動しない。
【００８５】
情報記録再生装置から光量を切り替える指示が出ると、光ピックアップ１は、図３（ａ）に示す位置から、さらに外周方向（Ａ方向）へと移動する。
【００８６】
移動開始直後に、ホルダ２２の光ディスク３の外周側端部２２ｄと、光ディスク３の外周方向側に備えられたホルダ係合部５ｂとが接触する。続いて、光ピックアップ１が、さらにＡ方向へ移動すると、光ピックアップ１と一体化したホルダ２２の移動は、ホルダ係合部５ｂによって阻止される結果、外周側磁石２４ｂと磁性材２３ｂとの吸引力による連結が解除される。これによって、ホルダ２２は、接触しているホルダ係合部５ｂに押されて、光ピックアップ１のベース３０に対して、相対的に内周方向（Ｂ方向）へと移動する。この内周方向へのホルダ２２の相対移動は、ガイドピン２５およびガイド溝２２ａによるガイド機構によって案内される。
【００８７】
この結果、ガラス基板部２１ａが光軸の位置に移動するので、光量を切り替えることができる。すなわち、光量補正用光学素子２１と光軸との位置関係が、偏光性回折格子部２１ｂと光軸とが交わる位置関係からガラス基板部２１ａと光軸とが交わる位置関係へと切り替えられる。なお、光ピックアップ１は、図３（ｂ）に示すように、移動可能範囲の最外周位置まで移動して停止する。
【００８８】
光ピックアップ１が、図３（ｂ）によって示した、切り替え動作が終了する最外周位置において停止すると、内周側磁石２４ａと磁性材２３ａとが吸引力によって連結する。これによって、ホルダ２２は、光ピックアップ１に対して安定して保持される。こうして、光量補正用光学素子２１の切り替え動作が完了する。
【００８９】
以上のように、ホルダ２２は光ピックアップ１に対して、光ディスク３の半径方向に往復移動することが可能である。しかし、ホルダ２２を駆動させるための駆動源は光ピックアップ１内に搭載されていない。したがって、光ピックアップ１を小型、軽量に形成することが可能である。
【００９０】
また、光量切り替え動作時において、ホルダ係合部５と接触したホルダ２２は、ガイド機構によって、光ピックアップ１の移動方向に対して、相対的に反対方向に案内される。すなわち、ホルダ２２は、光ピックアップ１の光ディスク３の半径方向への移動動作の変換利用により駆動され、光量補正用光学素子２１の切り替え動作を行っている。したがって、ホルダ２２の駆動機構およびガイド機構を小型かつ単純に形成することが可能である。
【００９１】
さらに、ホルダ２２とホルダ係合部５が接触し、光量補正用光学素子２１が切り替えられるのは、光ピックアップ１が光ディスク３の情報記録領域外に移動した時のみである。すなわち、情報記録再生装置から光量補正用光学素子２１の切り替え指示がない限り、通常の情報記録再生時には、光量補正用光学素子２１が切り替わることない。したがって、正確な情報の記録再生を行うことができる。
【００９２】
〔実施形態２〕
本発明に係る一実施形態について、図４から図６（ａ）（ｂ）を参照して以下に説明する。
【００９３】
なお、実施形態１と同様の部材に関しては、同一の符号を付し、その説明を省略する。
したがって、本実施形態の光ピックアップ１における、ホルダ３２およびレバー２６の構成について、図４を参照して、以下に説明する。
【００９４】
（ホルダ３２の構成）
実施形態２に示す光ピックアップ１内に構成される光学系は、実施形態１と同様である。光ピックアップ１には、光量補正用光学素子２１を保持するホルダ３２が備えられている。ホルダ３２は、実施形態１において示した形状とは異なり、光ディスク３半径方向に沿った光ピックアップ１の幅よりも小さく形成されている。そのため、ホルダ３２の一端は、光ピックアップ１の外形から突出していない。この点を除けば、ガイド溝３２ａ、内周側凸部３２ｂ１および外周側凸部３２ｂ２は、ガイド溝３２ａ、内周側凸部２２ｂ１および外周側凸部２２ｂ２にそれぞれ対応しており、変わるところはない。
【００９５】
（レバー２６の構成）
本実施形態においては、光ピックアップ１の幅方向両端近傍部に、光ピックアップ１の外形から突出するようにレバー２６が備えられている。レバー２６は、おおむねＬ字状の形状をもつ本体部分と、本体部分の中程に設けられた回転支軸２６ａと、リングピン部２６ｂとを備えている。
リンクピン部２６ｂは、ホルダ２２の両端近傍に形成されている２つのレバーリンク穴とレバー２６のホルダ３２側端部とを係合している。回転支軸２６ａは光ピックアップ１に直立して設けられた回動支軸に係合している。これによって、レバー２６が回転支軸２６ａまわりに回転する動作に連動して、ホルダ３２が光ディスク３の半径方向に対して、光ピックアップ１の移動から独立して往復移動することが可能である。
また、レバー２６の光ディスク３の内周側端部２６ｃ（図５（ａ）参照）、外周側端部２６ｄ（図６（ａ）参照）は、光ピックアップ１の外形から突出することによって、情報記録再生装置本体側に固定配置された内周側ホルダ係合部５ａ（図５（ａ）参照）、外周側ホルダ係合部５ｂ（図６（ａ）参照）とそれぞれ接触する。これによって、光ピックアップ１の光ディスク３の半径方向への移動動作に連動して、ホルダ３２を移動させることが可能である。
また、レバー２６は、リンクピン部２６ｂから回転支軸２６ａまでの距離をＲ１（第１の直線距離）、回転支軸２６ａからレバー屈曲部２６ｅまでの距離をＲ２（第２の直線距離）とした時、Ｒ１に対するＲ２の比率が１より小さくなるように構成されている。これによって、ベース３０の移動量をレバー２６の回転動作によってホルダ３２の移動量に変換する際に、ベース３０の移動量よりもホルダ３２の移動量を大きくすることが可能である。
【００９６】
なお、本実施形態では、レバー２６と、レバー２６に係合されるとともに、ガイド溝３２ａが設けられたホルダ３２とが、特許請求の範囲に記載した動作変換機構に相当する。
【００９７】
ところで、光ピックアップ１が光ディスク３の情報記録領域における最内周位置に位置する時は、内周側ホルダ係合部５ａがレバー２６の内周側端部２６ｃと接触しないように備えられている。また、光ピックアップ１が光ディスク３の情報記録領域における最外周位置に位置する時は、外周側ホルダ係合部５ｂがレバー２６の外周側端部２６ｄと接触しないように備えられている。
【００９８】
（内周位置における切り替え動作）
光ディスク３の内周位置における光量補正用光学素子２１の切り替え動作について、図５（ａ）（ｂ）を参照して、以下に説明する。図５（ａ）（ｂ）は、光ピックアップ１が光ディスク３の内周位置に移動した状態を表している。図５（ａ）は、偏光性回折格子部２１ｂが光路中にある状態（透過後の光量が少ない）を表し、図２（ｂ）は、偏光性回折格子部２１ｂが光路中にない状態（透過後の光量が多い）を表している。
【００９９】
図５（ａ）に示す状態では、ホルダ３２が光ピックアップ１に対して、光ディスク３の外周側方向に移動している。このとき、外周側凸部３２ｂ２の磁性材２３ｂが外周側磁石２４ｂに吸着されており、内周側凸部３２ｂ１の磁性材２３ａは、内周側磁石２４ａから離れている。偏光性回折格子部２１ｂは、ガラス基板部２１ａの内周側に形成されているので、ホルダ３２が光ピックアップ１に対して、外周側方向に移動している状態では、ガラス基板部２１ａが光軸に対して外周側に位置することになるため、光路中にある状態となる。
【０１００】
また、図５（ａ）は、光ピックアップ１が光ディスク３の情報記録領域の最内周位置にある状態に対応している。光量の切り替え動作を行わない場合、つまり、情報の記録および／または再生を行う場合には、光ピックアップ１はこの位置までしか内周方向へは移動しない。
【０１０１】
情報記録再生装置から切り替えの指示が出ると、光ピックアップ１は、内周方向（Ｃ方向）へと移動する。
【０１０２】
移動開始直後に、レバー２６の光ディスク３の内周側端部２６ｃと、光ディスク３の内周方向側に備えられたホルダ係合部５ａとが接触する。続いて、光ピックアップ１が、さらにＣ方向へ移動すると、レバー２６は回転支軸２６ａまわりにＥ方向へと回転を始め、リングピン２６ｂと、これに係合するレバーリンク穴が接触することにより、ホルダ３２をＦ方向へと移動させようとする。その結果、外周側磁石２４ｂと磁性材２３ｂととの吸引力による連結が解除される。これによって、ホルダ２２は、リングピン２６ｂの内周方向への移動に押されて、内周方向（Ｆ方向）へと移動する。この内周方向へのホルダ２２の移動は、ガイドピン２５およびガイド溝３２ａによるガイド機構によって案内される。
【０１０３】
この結果、ガラス基板部２１ａが光軸の位置に移動するので、光量を切り替えることができる。すなわち、光量補正用光学素子２１と光軸との位置関係が、偏光性回折格子部２１ｂと光軸とが交わる位置関係からガラス基板部２１ａと光軸とが交わる位置関係へと切り替えられる。なお、光ピックアップ１は、図５（ｂ）に示すように、移動可能範囲の最内周位置まで移動して停止する。
【０１０４】
光ピックアップ１が、図５（ｂ）によって示した、切り替え動作が終了する最内周位置において停止すると、内周側磁石２４ａと磁性材２３ａとが吸引力によって連結する。これによって、ホルダ３２は、光ピックアップ１に対して安定して保持される。こうして、光量補正用光学素子２１の切り替え動作が完了する。
【０１０５】
（外周位置における切り替え動作）
光ディスク３の外周位置における光量補正用光学素子２１の切り替え動作について、図６（ａ）（ｂ）を参照して、以下に説明する。図６（ａ）（ｂ）は、光ピックアップ１が光ディスク３の外周位置に移動した状態を表している。図６（ａ）は、偏光性回折格子部２１ｂが光路中にない状態（透過後の光量が多い）を表し、図６（ｂ）は、偏光性回折格子部２１ｂが光路中にある状態（透過後の光量が少ない）を表している。
【０１０６】
図６（ａ）は、ホルダ３２が光ピックアップ１に対して、光ディスク３の内周側方向に移動している。したがって、偏光性回折格子部２１ａが光路中にない状態である。
【０１０７】
図６（ａ）に示す状態では、ホルダ３２が光ピックアップ１に対して、光ディスク３の内周側方向に移動している。このとき、内周側凸部３２ｂ１の磁性材２３ａが内周側磁石２４ａに吸着されており、外周側凸部３２ｂ２の磁性材２３ｂは、外周側磁石２４ｂから離れている。偏光性回折格子部２１ｂは、ガラス基板部２１ａの内周側に形成されているので、ホルダ２２が光ピックアップ１に対して、内周側方向に移動している状態では、偏光性回折格子部２１ｂが光軸に対して内周側に位置することになるため、光路中にない状態となる。
【０１０８】
情報記録再生装置から切り替えの指示が出ると、光ピックアップ１は、外周方向（Ａ方向）へと移動する。
【０１０９】
移動開始直後に、レバー２６の光ディスク３の外周側端部２６ｄと、光ディスク３の外周方向側に備えられたホルダ係合部５ｂとが接触する。続いて、光ピックアップ１が、さらにＡ方向へ移動すると、レバー２６は回転支軸２６ａまわりにＧ方向へと回転を始める。これによって、リングピン２６ｂと、これに係合するレバーリンク穴が接触することにより、ホルダ３２をＨ方向へと移動させようとする。その結果、内周側磁石２４ａと磁性材２３ａととの吸引力による連結が解除される。これによって、ホルダ３２は、リングピン２６ｂの外周方向への移動に押されて、外周方向（Ｈ方向）へと移動する。この外周方向へのホルダ３２の移動は、ガイドピン２５およびガイド溝３２ａによるガイド機構によって案内される。
【０１１０】
この結果、偏光性回折格子部２１ｂが光軸の位置に移動するので、光量を切り替えることができる。すなわち、光量補正用光学素子２１と光軸との位置関係が、ガラス基板部２１ａと光軸とが交わる位置関係から偏光性回折格子部２１ｂと光軸とが交わる位置関係へと切り替えられる。なお、光ピックアップ１は、図６（ｂ）に示すように、移動可能範囲の最外周位置まで移動して停止する。
【０１１１】
光ピックアップ１が、図６（ｂ）によって示した、切り替え動作が終了する最外周位置において停止すると、外周側磁石２４ｂと磁性材２３ｂとが吸引力によって連結する。これによって、ホルダ３２は、光ピックアップ１に対して安定して保持される。こうして、光量補正用光学素子２１の切り替え動作が完了する。
【０１１２】
レバー２６端部とホルダ係合部５が接触し、光量補正用光学素子２１が切り替えられるのは、光ピックアップ１が光ディスク３の情報記録領域外に移動した時のみである。すなわち、情報記録再生装置から光量補正用光学素子２１の切り替え指示がない限り、通常の情報記録再生時には、光量補正用光学素子２１が切り替わることない。したがって、正確な情報の記録再生を行うことができる。
【０１１３】
（実施形態１と実施形態２との比較）
実施形態１の構成と実施形態２の構成において、光量補正用光学素子２１を同じ距離移動させるために必要な光ピックアップ１の移動距離について、図２（ａ）（ｂ）および図５（ａ）（ｂ）を参照して以下に説明する。
【０１１４】
図２（ａ）（ｂ）は、実施形態１の構成において、光ピックアップ１が光ディスク３の内周位置に移動した状態を表す図である。図５（ａ）（ｂ）は、実施形態２の構成において、光ピックアップ１が光ディスク３の内周位置に移動した状態を表す図である。
【０１１５】
図２（ａ）に示したＩと図５（ａ）に示したＫは、ともにスピンドルモータ４の中心位置から、光ディスク３の情報記録領域の最内周位置までの距離とした場合、光ディスク３が同一規格品である限り、Ｉ＝Ｋとなる。また、図２（ｂ）に示したＪと図５（ｂ）に示したＬとは、スピンドルモータ４の中心位置から、ベース３０の移動可能範囲の最内周位置までの距離となる。
【０１１６】
すなわち、スピンドルモータ４の中心位置から、補正用光学素子２１の切り替え動作時にベース３０が停止する位置までの距離である。
【０１１７】
補正用光学素子２１を切り替えるために必要なホルダ２２およびホルダ３２の移動距離が同じであれば、レバー２６を備えた図５（ａ）（ｂ）の構成におけるベース３０の移動距離（Ｋ−Ｌ）は、図２（ａ）（ｂ）の構成におけるベース３０の移動距離（Ｉ−Ｊ）に比べて短くてすむ。なぜならば、前述したように、レバー２６を備えた図５（ａ）（ｂ）の構成では、レバー２６の回転動作によって、ベース３０の移動距離よりもホルダ３２の移動距離を大きくすることができるからである。
【０１１８】
以上のことより、図２（ａ）（ｂ）、すなわち実施形態１の構成におけるベース３０の移動量と、図５（ａ）（ｂ）、すなわち実施形態２の構成におけるベース３０の移動量との間には、（Ｉ−Ｊ）＞（Ｋ−Ｌ）という式が成り立つ。ここで、光ディスク３が同一規格品である限り、Ｉ＝Ｋとなることから、ＬとＪとの関係は、Ｌ＞Ｊとなる。
【０１１９】
すなわち、図２（ａ）（ｂ）と図５（ａ）（ｂ）とのスピンドルモータ４が同じ直径とした場合、図５（ｂ）の方が図２（ｂ）よりもベース３０とスピンドルモータ４との間隔が大きくなる。
【０１２０】
これによって、実施形態１の構成よりも光ディスク３を高速回転するための直径の大きな、すなわちトルクの大きなスピンドルモータ４ａを搭載することができる。
【０１２１】
また、図示しない光ディスク３の外周側においても、光量補正用光学素子２１の切り替え動作に必要なベース３０の移動量は、内周方向と同様に実施形態１の構成よりも小さいため、ベース３０の移動範囲を小さくすることができる。
【０１２２】
これによって、実施形態２の構成では実施形態１の構成に比べて、情報記録再生装置を小型化することができる。
【０１２３】
したがって、実施形態２の構成を有することにより、高速回転の対応が可能な高トルク使用のスピンドルモータを搭載するとともに情報記録再生装置の小型化を可能にすることができる。
【０１２４】
なお上記の実施形態では、レバー２６の形状をＬ字状としているが、Ｒ１に対するＲ２の比率が１より小さいことを満たせば、Ｌ字状に限定されるものではない。
【０１２５】
以上、本発明を実施形態に基づいて具体的に説明したが、本発明は、上述した各実施形態に限定されるものではなく、請求項に示した範囲において種々の変更が可能であり、異なる実施形態にそれぞれ開示された技術的手段を適宜組み合わせて得られる実施形態についても本発明の技術的範囲に含まれる。
【産業上の利用可能性】
【０１２６】
本発明の光量補正装置は、光ディスクに対して、情報の記録、再生を行う光ピックアップおよびその光ピックアップを搭載した情報記録再生装置に利用することができる。特に、光ビームの光量を補正する補正用光学素子を切り替えることによって、複数種類の光ディスクの正確かつ安定した記録再生ができる、小型、軽量かつ省電力を実現しようとする情報記録再生装置に、本発明は好適である。
【図面の簡単な説明】
【０１２７】
【図１】本発明の第１の実施形態を示すものであり、（ａ）は、情報記録再生装置の構成を表す概略平面図であり、（ｂ）は、光ピックアップの構成を表す概略平面図である。
【図２】上記実施形態における、光ピックアップが光ディスクの内周位置に移動した状態を表す図であり、（ａ）は、偏光性回折格子部が光路中にない状態を示す図であり、（ｂ）は偏光性回折格子部が光路中にある状態を示す図である。
【図３】上記実施形態における、光ピックアップが光ディスクの外周位置に移動した状態を表す図であり、（ａ）は、偏光性回折格子部が光路中にある状態を示す図であり、（ｂ）は偏光性回折格子部が光路中にない状態を示す図である。
【図４】本発明の第２の実施形態を示すものであり、光ピックアップの構成を表す概略平面図である。
【図５】上記実施形態における、光ピックアップが光ディスクの内周位置に移動した状態を表す図であり、（ａ）は、偏光性回折格子部が光路中にある状態を示す図であり、（ｂ）は偏光性回折格子部が光路中にない状態を示す図である。
【図６】上記実施形態における、光ピックアップが光ディスクの外周位置に移動した状態を表す図であり、（ａ）は、偏光性回折格子部が光路中にない状態を示す図であり、（ｂ）は偏光性回折格子部が光路中にある状態を示す図である。
【図７】従来の情報記録再生装置の光ビーム透過調整手段の光ビームが光学フィルタを透過する状態を示す斜視図である。
【図８】従来の情報記録再生装置の光ビーム透過調整手段の光ビームが光学フィルタを透過しない状態を示す斜視図である。
【符号の説明】
【０１２８】
１        光ピックアップ
３        光ディスク（光記録媒体）
４        スピンドルモータ
５        ホルダ係合部
２０      光ビーム透過調整手段（光量補正装置）
２１      光量補正用光学素子（光量補正素子）
２１ａ    ガラス基板部
２１ｂ    偏光性回折格子部
２２      ホルダ（動作変換機構）
２２ａ    ガイド溝（ガイド機構）
２３      磁性材
２４ａ    内周側磁石
２４ｂ    外周側磁石
２５      ガイドピン
２６      レバー（動作変換機構）
３０      ベース
３２      ホルダ（動作変換機構）
３２ａ    ガイド溝
【図１】
2007328861.tif 000003
【図２】
2007328861.tif 000004
【図３】
2007328861.tif 000005
【図４】
2007328861.tif 000006
【図５】
2007328861.tif 000007
【図６】
2007328861.tif 000008
【図７】
2007328861.tif 000009
【図８】
2007328861.tif 000010